(57)【特許請求の範囲】
【請求項１】
双眼鏡等の観察機器本体の接眼レンズ後方に形成された筒状部；
この筒状体内に固定される取付環；及び、
この取付環の外周面に、軸方向にスライド可能に支持されるスライド目当て環；
を備え、
上記スライド目当て環は、その内周面に、径方向内方に突出する少なくとも一つのガイド突起を備え、
上記取付環は、その外周面に、このガイド突起をその後端部から受け入れる挿入溝と；この挿入溝と平行で後端部がストッパ壁で閉塞された、上記ガイド突起を案内するガイド溝と；上記挿入溝から挿入したガイド突起を上記ガイド溝内に導く周方向溝と；を備え、
かつ、上記筒状部は、上記取付環を固定した状態で、上記スライド目当て環の移動範囲を制限しそのガイド突起が上記取付環の周方向溝に至るのを防止するストッパ面を備えていることを特徴とするスライド目当て装置。
【請求項２】
請求項１において、上記取付環はさらに、そのガイド溝部分に、後端部から形成した一対のスリットと、この一対のスリットにより形成された弾性脚と、この弾性脚の自由端部に形成したクリック突起とを備え、
上記スライド目当て環は、該スライド目当て環の収納位置と引出し位置でこのクリック突起に嵌まるクリック凹部を備えているスライド目当て装置。
【請求項３】
請求項１または２において、上記筒状部と取付環はねじ結合されているスライド目当て装置。
【発明の詳細な説明】
【０００１】
【技術分野】
本発明は、双眼鏡、単眼鏡、ビデオカメラのファインダ等に適用可能なスライド目当て装置に関する。
【０００２】
【従来技術及びその問題点】
これらの観察光学機器の目当ては、観察者のアイポイントを決め、周囲の光の入射を防いで像を見やすくする目的で使用されている。この目当ては、眼鏡を掛けている人には邪魔になり、また携帯時の小型化を図るため、引出位置と収納位置とにスライド可能とされているが、従来のスライド機構は、部品点数が多く、組立工数が多いという問題があった。
【０００３】
【発明の目的】
本発明は、少数の部品で、組立の簡単なスライド目当て機構を得ることを目的とする。
【０００４】
【発明の概要】
本発明のスライド目当て機構は、双眼鏡等の観察機器本体の接眼レンズ後方に形成された筒状部に固定される取付環と、この取付環の外周面に、軸方向にスライド可能に支持されるスライド目当て環とを基本構成要素とするものである。そして、スライド目当て環は、その内周面に、径方向内方に突出する少なくとも一つのガイド突起を備え、取付環は、その外周面に、このガイド突起をその後端部から受け入れる挿入溝と；この挿入溝と平行で後端部がストッパ壁で閉塞された、ガイド突起を案内するガイド溝と；挿入溝から挿入したガイド突起をガイド溝内に導く周方向溝と；を備えている。さらに筒状部は、取付環を固定した状態で、スライド目当て環の移動範囲を制限しそのガイド突起が上記取付環の周方向溝に至るのを防止するストッパ面を備えている。
【０００５】
この構成によると、スライド目当て環のガイド突起を取付環の挿入溝に嵌めて周方向溝からガイド溝に移動させ、その状態で取付環を筒状部に固定するだけで、スライド目当て装置が完成する。取付環と筒状部とは例えばねじ結合とし、または接着結合とすることができる。スライド目当て環の後端部には、後に目当てゴムを固定する。
【０００６】
取付環とスライド目当て環との間には、スライド目当て環を収納位置と引出位置にクリックストップするクリックストップ機構を設けることができる。すなわち、取付環にはさらに、そのガイド溝部分に、後端部から形成した一対のスリットと、この一対のスリットにより形成された弾性脚と、この弾性脚の自由端部に形成したクリック突起とを設け、一方、スライド目当て環には、該スライド目当て環の収納位置と引出位置でこのクリック突起に嵌まるクリック凹部（孔または溝）を設ける。
【０００７】
【発明の実施例】
以下図示実施例について本発明を説明する。スライド目当て装置は、図６ないし図１０に示すように、双眼鏡１００の接眼レンズＬの後方に設けられるものである。本発明のスライド目当て装置は、双眼鏡１００の本体部材１０に設けた筒状部１１と、取付環２０と、スライド目当て環３０とを基本構成要素としている。筒状部１１、取付環２０、スライド目当て環３０の軸線は接眼レンズＬの光軸と一致している。筒状部１１には、その内周面に、ストッパ段部１２と、その前方の雌ねじ部１３とが形成されている。本明細書で、『前方』は接眼レンズＬ側、『後方』は観察者の眼側を言う。
【０００８】
図２と図３は、スライド目当て環３０の単体形状を示している。このスライド目当て環３０は、単純な筒状をしていて、その内周面のやや前方に、径方向に対向する一対のガイド突起３１を備えている。ガイド突起３１は円弧状の不完全内方フランジとして形成されており、その中心部と同一の周方向位置には、前後に位置を異ならせて、引出位置用クリック孔３２と収納位置用クリック孔３３とが穿設されている。このスライド目当て環３０の後部外周には、目当てゴム３４の取付け部３５（図３）が形成されている。
【０００９】
図４と図５は、取付環２０の単体形状を示している。この取付環２０は、その前端部に、筒状部１１の雌ねじ部１３に螺合される雄ねじ部２１を有し、その後部外周面に、図１に展開形状を示す一連の挿入溝２２、ガイド溝２３、周方向溝２４を有している。挿入溝２２とガイド溝２３は軸方向と平行な溝であって、挿入溝２２はその後部が開放され、ガイド溝２３の後端部は、径方向外方に突出するストッパ壁２５によって閉塞されている。挿入溝２２は、スライド目当て環３０のガイド突起３１を受け入れるもので、その円周方向の幅Ａは、目当て環３０の挿入を容易にするように、ガイド突起３１の円周方向幅ａより十分大きく、一方、ガイド溝２３の幅は、ガイド突起３１の幅ａと略等しい。この挿入溝２２とガイド溝２３の間には、軸方向と平行な区画壁２６が位置しており、この区画壁２６は、前方において切り欠かれて、挿入溝２２とガイド溝２３を結ぶ周方向溝２４を形成している。スライド目当て環３０のガイド突起３１は、この周方向溝２４を通って挿入溝２２からガイド溝２３に移ることができる。図１では、低い溝部分（同一径）にハッチングを付した。
【００１０】
取付環２０には、そのガイド溝２３部分に、後方から一対のスリット２７が入れられていて、この一対のスリット２７によって弾性脚２８が形成されている。この弾性脚２８の自由端部（後端部）には、ストッパ壁２５からさらに径方向外方に突出するクリック突起２９が設けられている。２０Ｋは、取付環２０をねじ込む際に使用するカニメ用凹部である。
【００１１】
周方向溝２４（区画壁２６）の位置は、スライド目当て環３０のガイド突起３１を挿入溝２２から周方向溝２４を通してガイド溝２３に移した後、取付環２０を筒状部１１の雌ねじ部１３に完全に螺合させた状態では、スライド目当て環３０を筒状部１１のストッパ段部１２に当接する最前方に移動させても、ガイド突起３１が区画壁２６に当接して周方向溝２４を通過できない位置に定める。
【００１２】
すなわち、上記構成の本装置は、組立に当って、取付環２０を筒状部１１に螺合させる前に、取付環２０の外周にスライド目当て環３０を嵌める。この際、ガイド突起３１をまず挿入溝２２に嵌めた状態でスライド目当て環３０の全体を前方に移動させ、ガイド突起３１が周方向溝２４部分に達したら回転させて、ガイド突起３１を挿入溝２２側に移動させ、そのまま、今度はスライド目当て環３０を後方に移動させてガイド突起３１を挿入溝２２内に位置させる。この仮結合状態では、ガイド突起３１はストッパ壁２５に当接するから、スライド目当て環３０は後方には抜けない。
【００１３】
このようにスライド目当て環３０を結合した取付環２０の雄ねじ部２１を、今度は、筒状部１１の雌ねじ部１３に螺合させ、適宜接着剤を用いて固定すれば、組立作業は完了する。この固定状態では、スライド目当て環３０の移動範囲は、後方へはガイド突起３１がストッパ壁２５に当接する位置で制限され、前方へはスライド目当て環３０の前端面が筒状部１１のストッパ段部１２に当接する位置で制限される。そして、この前方位置では、図７に示すように、ガイド突起３１は周方向溝２４には移動せず、区画壁２６によって周方向移動を制限されるから、脱落するおそれはない。また、図６、図８に明らかなように、スライド目当て環３０の引出し状態では、スライド目当て環３０が取付環２０の外周面をカバーするから、取付け環２０の外周面に形成した挿入溝２２、ガイド溝２３、周方向溝２４等が露出することがなく、優れた外観が得られる。
【００１４】
本実施例では、このスライド目当て環３０の前方移動端と後方移動端において、クリックストップが働く。前方移動端は収納位置、後方移動端は引出位置であって、収納位置では、弾性脚２８のクリック突起２９がスライド目当て環３０の収納位置用クリック孔３３に係合し、引出位置では同クリック突起２９が引出位置用クリック孔３２に係合する。
【００１５】
【発明の効果】
本発明によれば、少数の部材によって、組立が非常に簡単なスライド目当て機構が得られる。
【図面の簡単な説明】
【図１】本発明のスライド目当て装置の実施例を示す、図４のＩ矢視展開図である。
【図２】スライド目当て環単体の正面図である。
【図３】図２のＩＶ−ＩＶ線に沿う断面図である。
【図４】取付環単体の正面図である。
【図５】同取付環単体の側面図である。
【図６】本発明のスライド目当て装置の組立状態における、スライド目当て環の引出状態の断面図である。
【図７】同収納状態の断面図である。
【図８】本発明のスライド目当て装置の図６とは異なる断面におけるスライド目当て環の引出状態の断面図である。
【図９】同収納状態の断面図である。
【図１０】本発明のスライド目当て装置を双眼鏡に適用した状態を示す側面図である。
【符号の説明】
１０  本体部材
１１  筒状部
１２  ストッパ段部
１３  雌ねじ部
２０  取付環
２１  雄ねじ部
２２  挿入溝
２３  ガイド溝
２４  周方向溝
２５  ストッパ壁
２６  区画壁
２７  スリット
２８  弾性脚
２９  クリック突起
３０  スライド目当て環
３１  ガイド突起
３２  引出位置用クリック孔（凹部）
３３  収納位置用クリック孔（凹部）
３４  目当てゴム
【図１】
0003548256.tif 000002
【図２】
0003548256.tif 000003
【図３】
0003548256.tif 000004
【図４】
0003548256.tif 000005
【図５】
0003548256.tif 000006
【図６】
0003548256.tif 000007
【図７】
0003548256.tif 000008
【図８】
0003548256.tif 000009
【図９】
0003548256.tif 000010
【図１０】
0003548256.tif 000011